(57)【要約】【課題】需要者が持つ携帯端末を利用して、需要者に対して、付随的な情報を配信する。さらに、情報端末で表示される情報の更新を容易とする。【解決手段】管理サーバ２は、番組表を保持する。情報端末３は、サーバ２から番組表をネットワーク５経由で受信する。番組表は、再生情報と、アクセス情報とを備える。再生情報は、既定の時間に情報端末３で再生されるコンテンツについての情報である。アクセス情報は、携帯端末６から、関連情報の配信元にアクセスするための情報である。かつ、関連情報は、再生情報と関連付けられている。情報端末３は、ＩＣカード用のリーダ・ライタ３２を備える。さらに、情報端末３は、再生情報に従ってコンテンツを再生している間に、ＩＣカードを備えた携帯端末６が情報端末３に接近あるいは接触すると、携帯端末６にアクセス情報を渡して、携帯端末６から情報の配信元にアクセスさせることができる。【選択図】図１
2010055151.tif 000002
【特許請求の範囲】
【請求項１】
サーバと、情報端末とを備えており、
前記サーバは、前記情報端末に送付される番組表を保持しており、
前記情報端末は、前記サーバから前記番組表をネットワーク経由で受信する構成となっており、
前記番組表は、再生情報と、アクセス情報とを備えており、
前記再生情報は、既定の時間に前記情報端末で再生されるべきコンテンツについての情報であり、
前記アクセス情報は、携帯端末から、関連情報の配信元にアクセスするための情報であり、
かつ、前記関連情報は、前記再生情報と関連付けられた情報であり、
前記情報端末は、ＩＣカード用のリーダ・ライタを備えており、
さらに、前記情報端末は、前記再生情報に従って前記コンテンツを再生している間に、ＩＣカードを備えた前記携帯端末が前記情報端末に接近あるいは接触すると、前記携帯端末に前記アクセス情報を渡して、前記携帯端末から前記情報の配信元にアクセスさせる構成となっている
ことを特徴とする情報配信システム。
【請求項２】
前記アクセス情報は、前記関連情報を前記携帯端末が受け取るためのＵＲＬまたはメールアドレスである
ことを特徴とする請求項１に記載の情報配信システム。
【請求項３】
前記サーバは、管理サーバとコンテンツサーバとを備えており、
前記管理サーバは、前記番組表を保持しており、
前記コンテンツサーバは、前記番組表中の前記再生情報に示されたコンテンツを、前記情報端末からの要求に応じて前記情報端末に送信する構成となっている
ことを特徴とする請求項１又は２に記載の情報配信システム。
【請求項４】
前記コンテンツサーバから前記情報端末へのコンテンツの配信は、ダウンロード又はストリーミングにより行われる
ことを特徴とする請求項３に記載の情報配信システム。
【請求項５】
さらに操作端末を備えており、
前記操作端末は、前記管理サーバにアクセス可能とされており、
さらに、前記操作端末は、前記管理サーバに保持された前記番組表を編集する機能を備えている
ことを特徴とする請求項３に記載の情報配信システム。
【請求項６】
前記ネットワークは、インターネットと、このインターネットに前記情報端末が接続するための無線ネットワークとを含んでいる
ことを特徴とする請求項１〜５のいずれかに記載の情報配信システム。
【請求項７】
以下のステップを備える情報配信方法：
（１）情報端末が、サーバから、番組表をネットワーク経由で受信するステップ；
（２）前記情報端末が、前記番組表に含まれる再生情報に従ってコンテンツを再生するステップ；
（３）前記コンテンツを再生している間に、ＩＣカードを備えた携帯端末が前記情報端末に接近あるいは接触したことを検出するステップ；
（４）前記携帯端末が前記情報端末に接近あるいは接触したことを検出した後、前記携帯端末に、前記再生情報に関連付けられたアクセス情報を渡して、前記携帯端末から関連情報の配信元にアクセスさせるステップ。
【請求項８】
前記番組表は、設定時間毎に再生されるコンテンツの情報を備えており、
前記情報端末は、前記番組表に従って、再生するコンテンツを設定時間毎に切り替える構成となっている
請求項７に記載の情報配信方法。
【請求項９】
請求項７又は８に記載のステップをコンピュータに実行させることを特徴とするコンピュータプログラム。
【発明の詳細な説明】
【技術分野】
【０００１】
本発明は、情報を配信するためのシステムに関するものである。特に、本発明は、情報端末で提示されている情報に関連する情報を携帯端末に配信することを可能にするシステムに関するものである。
【背景技術】
【０００２】
商品についての購入意欲を促進するためには、当該商品に関する十分な情報を需要者に提示することが好ましいと考えられる。この観点から、従来、小売店の店頭などでは、商品に関する様々な情報の表示が行われている。
【０００３】
最近では、商品の手前に、小型ディスプレイを備えた情報端末を設置することが行われている。この情報端末により、商品の値段や内容などの情報を提示することができる。
【０００４】
このような情報端末を用いると、需要者は、端末に表示された情報を参考にしながら、当該商品を購入することができる。
【０００５】
また、このような情報端末を用いると、情報端末の設定を変えることにより、表示される情報を変更できる。このため、紙によって表品情報を提示する手法に比べると、情報端末を用いることにより、情報内容の変更が容易であり、さらには、紙資源の節約にもなる。
【発明の開示】
【発明が解決しようとする課題】
【０００６】
ところで、情報端末で表示できる情報は、一般にはかなり限られてしまう。また、情報端末で表示する情報の内容を頻繁に（例えば１時間毎に）切り替えることは、管理者の負担を考えると、非常に難しい。
【０００７】
本発明は、前記の状況に鑑みてなされたものである。本発明の目的の一つは、需要者が持つ携帯端末を利用して、需要者に対して、付随的な情報を配信することである。本発明の他の目的は、情報端末で表示される情報の変更や更新を自動で行わせることで、提示情報の変更や更新を容易とすることである。
【課題を解決するための手段】
【０００８】
本発明は、以下のいずれかの項目に記載の構成とされている。
【０００９】
（項目１）
サーバと、情報端末とを備えており、
前記サーバは、前記情報端末に送付される番組表を保持しており、
前記情報端末は、前記サーバから前記番組表をネットワーク経由で受信する構成となっており、
前記番組表は、再生情報と、アクセス情報とを備えており、
前記再生情報は、既定の時間に前記情報端末で再生されるべきコンテンツについての情報であり、
前記アクセス情報は、携帯端末から、関連情報の配信元にアクセスするための情報であり、
かつ、前記関連情報は、前記再生情報と関連付けられた情報であり、
前記情報端末は、ＩＣカード用のリーダ・ライタを備えており、
さらに、前記情報端末は、前記再生情報に従って前記コンテンツを再生している間に、ＩＣカードを備えた前記携帯端末が前記情報端末に接近あるいは接触すると、前記携帯端末に前記アクセス情報を渡して、前記携帯端末から前記情報の配信元にアクセスさせる構成となっている
ことを特徴とする情報配信システム。
【００１０】
この発明によれば、情報端末は、サーバから番組表をネットワーク経由で受信することができる。情報端末は、番組表における再生情報に従って、コンテンツを提示することができる。したがって、この発明では、提示されるコンテンツを、番組表に沿って、高い頻度で、かつ自動的に切り替えることが可能になる。
【００１１】
また、サーバに備えられた番組表の内容を変更することにより、コンテンツの再生順序や再生時間などを容易に変更することができる。
【００１２】
情報端末に携帯端末が接近あるいは接触すると、情報端末は、携帯端末にアクセス情報を渡して、携帯端末から情報の配信元へのアクセスを可能にする。これにより、需要者は、携帯端末を用いて、補足的あるいは追加的な情報を受け取ることが可能になる。
【００１３】
（項目２）
前記アクセス情報は、前記関連情報を前記携帯端末が受け取るためのＵＲＬまたはメールアドレスである
ことを特徴とする項目１に記載の情報配信システム。
【００１４】
アクセス情報がＵＲＬであった場合には、携帯端末がそのＵＲＬにアクセスすることにより、情報の配信を受けることができる。
【００１５】
また、アクセス情報がメールアドレスである場合には、そのメールアドレスに携帯端末からメールを送ることにより、それに対する返信を受けることができる。さらに、返信メールにおける件名及び本文を用いて、携帯端末に情報を送信することもできる。返信メールを利用して、返信メール自体に補足情報を含ませることができる。あるいは、返信メール中にＵＲＬを記載してそこにアクセスさせることにより、補足情報を提供することができる。
【００１６】
（項目３）
前記サーバは、管理サーバとコンテンツサーバとを備えており、
前記管理サーバは、前記番組表を保持しており、
前記コンテンツサーバは、前記番組表中の前記再生情報に示されたコンテンツを、前記情報端末からの要求に応じて前記情報端末に送信する構成となっている
ことを特徴とする項目１又は２に記載の情報配信システム。
【００１７】
（項目４）
前記コンテンツサーバから前記情報端末へのコンテンツの配信は、ダウンロード又はストリーミングにより行われる
ことを特徴とする項目３に記載の情報配信システム。
【００１８】
（項目５）
さらに操作端末を備えており、
前記操作端末は、前記管理サーバにアクセス可能とされており、
さらに、前記操作端末は、前記管理サーバに保持された前記番組表を編集する機能を備えている
ことを特徴とする項目３に記載の情報配信システム。
【００１９】
（項目６）
前記ネットワークは、インターネットと、このインターネットに前記情報端末が接続するための無線ネットワークとを含んでいる
ことを特徴とする項目１〜５のいずれかに記載の情報配信システム。
【００２０】
無線ネットワークを用いることにより、情報端末の移動や設置が容易となる。
【００２１】
（項目７）
以下のステップを備える情報配信方法：
（１）情報端末が、サーバから、番組表をネットワーク経由で受信するステップ；
（２）前記情報端末が、前記番組表に含まれる再生情報に従ってコンテンツを再生するステップ；
（３）前記コンテンツを再生している間に、ＩＣカードを備えた携帯端末が前記情報端末に接近あるいは接触したことを検出するステップ；
（４）前記携帯端末が前記情報端末に接近あるいは接触したことを検出した後、前記携帯端末に、前記再生情報に関連付けられたアクセス情報を渡して、前記携帯端末から関連情報の配信元にアクセスさせるステップ。
【００２２】
（項目８）
前記番組表は、設定時間毎に再生されるコンテンツの情報を備えており、
前記情報端末は、前記番組表に従って、再生するコンテンツを設定時間毎に切り替える構成となっている
項目７に記載の情報配信方法。
【００２３】
（項目９）
項目７又は８に記載のステップをコンピュータに実行させることを特徴とするコンピュータプログラム。
【発明の効果】
【００２４】
本発明によれば、需要者が持つ携帯端末を利用して、需要者に対して、付随的あるいは追加的な情報を配信することができる。また、本発明によれば、情報端末で表示される情報の変更や更新を自動で行わせることで、提示情報の変更や更新が容易となる。
【発明を実施するための最良の形態】
【００２５】
（本実施形態の情報配信システム）
本発明の一実施形態に係る情報配信システムの概略的な構成を、添付の図面に基づいて説明する。
【００２６】
本実施形態に係る情報配信システムは、図１に示されるように、管理サーバ１と、コンテンツサーバ２と、情報端末３と、操作端末４とを備えている。管理サーバ１は、ネットワーク５を介して、情報端末３と操作端末４と通信可能となっている。コンテンツサーバ２は、ネットワーク５を介して、情報端末３と操作端末４と通信可能となっている。また、管理サーバ１とコンテンツサーバ２とは、本発明におけるサーバの具体例に対応している。
【００２７】
管理サーバ１は、情報端末３に送付される番組表を保持している。番組表の一例を図２に示す。番組表は、列毎に説明すると、時間枠、差し込み終了時間、差し込み指定、ダウンロード／ストリーミングの指定、コンテンツ取得用ＵＲＬ、転送用ＵＲＬ、転送用メールアドレス、メールの件名、及び、メールの本文の欄を備えている。
【００２８】
これらのうち、時間枠、差し込み終了時間、差し込み指定、ダウンロード／ストリーミングの指定、及び、コンテンツ取得用ＵＲＬが、本発明における再生情報の具体例に対応している。すなわち、再生情報は、既定の時間（番組表において設定された時間）に情報端末３で再生されるべきコンテンツについての情報である。
【００２９】
また、転送用ＵＲＬ、転送用メールアドレス、メールの件名、及び、メールの本文が、本発明におけるアクセス情報の具体例に対応している。すなわち、アクセス情報は、携帯端末６（図１参照）から、関連情報の配信元にアクセスするための情報である。
【００３０】
さらに、関連情報は、再生情報と関連付けられた情報となっている。例えば、関連情報は、情報端末３で提示されているコンテンツの内容に関連する情報である。番組表の詳細については追って説明する。
【００３１】
情報端末３は、管理サーバ１から番組表をネットワーク５経由で受信する構成となっている。情報端末３は、一般に、複数個設置される。ただし、各情報端末３は個別に動作できるので、この明細書では、ある一つの情報端末３について説明する。なお、複数の情報端末３が一つの番組表を共有し、その番組表に従って動作することも可能である。
【００３２】
情報端末３は、端末本体３１と、ＩＣカード用のリーダ・ライタ３２とを備えている。
【００３３】
端末本体３１は、図示しないディスプレイ、記憶装置及びＣＰＵを備えており、需要者に対して、番組表で指定されたコンテンツを提示できるように構成されている。
【００３４】
リーダ・ライタ３２は、ＩＣカードとの間で情報をやりとりすることができる機能を備えている。ＩＣカードとは、例えばFelica（商品名）である。また、そのようなＩＣカード用のリーダ・ライタとしては市販のものを使用できるので、これについてのさらに詳しい説明は省略する。
【００３５】
さらに、本実施形態の情報端末３は、番組表に記述された再生情報に従ってコンテンツを再生している間に、ＩＣカードを備えた携帯端末６（図１参照）が情報端末３に接近あるいは接触すると、携帯端末６にアクセス情報を渡して、携帯端末６から情報の配信元にアクセスさせる構成となっている。
【００３６】
操作端末４としては、市販のＰＣを用いることができる。
【００３７】
このシステムの詳細な動作は、図３及び図４に基づいてさらに詳しく説明する。
【００３８】
（情報配信方法）
以下、図１に示すシステムを用いた情報の配信方法を、図３及び図４に基づいて説明する。
【００３９】
（情報端末によるコンテンツの提示）
まず、情報端末３を用いてコンテンツを提示する手順を、図３を参照しながら説明する。
【００４０】
（ＳＡ−１）
まず、操作端末４により、管理サーバ１に格納されている番組表を編集する。編集された番組表の一例を、図２を参照しながら説明する。
【００４１】
図２に示す番組表において、時間枠は、コンテンツの再生開始時間を示している。また、各コンテンツは、特に指定がない限り、３０分間再生される。つまり、各時間枠は、この実施形態では、３０分間とされている。例えば、Ｎｏ７３とＮｏ７４では同じ時間枠が指定されている。このように、同じ枠で複数のコンテンツを再生する場合、時間枠の中において、コンテンツを順次繰り返して再生する。
【００４２】
図２における差し込み終了時間は、差し込み指定のフラグが１となっている場合に指定される。差し込み指定のフラグが１である場合、時間枠で指定された時間（つまり差し込み開始時間）から、差し込み終了時間までの間、差し込み用のコンテンツのみを繰り返して再生する。
【００４３】
「ダウンロード／ストリーミング」は、コンテンツを取得する方法がダウンロードであるかストリーミングであるかを指定する欄である。ダウンロードが指定されていた場合、情報端末３は、当該コンテンツが情報端末３にあるか否かを確認し、ない場合はコンテンツサーバ２に要求して、コンテンツをダウンロードする。ストリーミングが指定されていた場合、情報端末３は、指定された時間に、コンテンツサーバ２からコンテンツをストリーミングで取得して再生する。
【００４４】
コンテンツ取得用ＵＲＬは、情報端末３がコンテンツを取得するために接続するＵＲＬである。具体的には、この実施形態では、コンテンツサーバ２に接続するためのＵＲＬが指定されている。ただし、リダイレクトによって他のサーバを介してコンテンツサーバ２に接続する構成であっても良い。
【００４５】
転送用ＵＲＬは、情報端末３から携帯端末６に渡すためのＵＲＬである。携帯端末６は、このＵＲＬを使って、情報配信元のサーバ（Ｗｅｂサーバ又はメールサーバ）８（図１参照）に接続することができる。
【００４６】
転送用メールアドレスは、情報端末３から携帯端末６に渡すためのメールアドレスである。携帯端末６は、このメールアドレスを使って、情報配信元のサーバ８（図１参照）宛にメールを送ることができる。このメールを受け取ったサーバ８は、返信メールにより、携帯端末に情報を送ったり、別の情報にアクセスするためのＵＲＬを送ることができる。
【００４７】
メールの件名は、情報端末３から携帯端末６にメールアドレスが渡された場合に、一緒に携帯端末６に渡される、メール用の件名である。
【００４８】
メールの本文は、情報端末３から携帯端末６にメールアドレスが渡された場合に、一緒に携帯端末６に渡される、メール用の本文である。
【００４９】
（ＳＡ−２）
番組表が設定された後、管理サーバ１は、情報端末３の端末本体３１に対して、番組表を送り、当該番組表の更新を指示する。
【００５０】
（ＳＡ−３及びＳＡ−４）
情報端末３は、自らが持つ番組表を更新する必要があるかを定期的に（例えば５分周期で）確認する。更新する必要がある場合は、更新を管理サーバ１に要求する（後述）。
【００５１】
（ＳＡ−５）
端末本体３１からの要求を受けた管理サーバ１は、番組表を端末本体３１にダウンロードさせる。
【００５２】
（ＳＡ−６）
ついで、端末本体３１は、表中で指定されたコンテンツ（ただしダウンロードするもののみ）を当該端末本体３１自身が持つかどうかを確認する。コンテンツがストリーミング配信される場合は、このような確認は不要である。
【００５３】
（ＳＡ−７及びＳＡ−８）
端末本体３１がコンテンツを有しない場合、端末本体３１は、コンテンツサーバ２にダウンロードを要求する。コンテンツサーバ２は、要求されたコンテンツを端末本体３１にダウンロードする。
【００５４】
（ＳＡ−９）
さらに、端末本体３１は、時間枠と、そのときに再生すべきコンテンツとを確認する。この確認作業は、継続的に行われる。
【００５５】
指定された時間になると、端末本体３１は、指定されたコンテンツを再生する。再生されたコンテンツは、端末本体３１により、外部に向けて提示される。
【００５６】
指定されたコンテンツが既に端末本体３１に存在する場合は、端末本体３１は、そのコンテンツを再生することにより、情報を提示することができる。
【００５７】
指定されたコンテンツがストリーミングで配信される場合は、端末本体３１は、コンテンツサーバ２からストリーミング配信を受けることにより、情報を外部に提示することができる。
【００５８】
例えば、情報端末３が商品の近くに置かれ、その商品に関する情報が情報端末３により提示される場合は、需要者は、情報端末３により、商品に関するより詳しい情報を得ることができる。
【００５９】
また、従来の情報端末では、提示されるコンテンツの内容、時間、あるいは順序などを頻繁に修正することが難しかった。これに対して、本実施形態のシステムでは、管理サーバ１に備えられた番組表を編集あるいは修正することにより、提示されるコンテンツの内容等を容易に修正することができる。このため、情報端末により提示されるコンテンツの内容等を頻繁に変更することができ、適切なタイミングでコンテンツの提示を行うことができるという利点がある。
【００６０】
（ＳＡ−１０）
さらに、端末本体３１は、定期的に番組表を確認し続ける。変更がある場合、ステップＳＡ−４からの作業を繰り返す。
【００６１】
（携帯端末への情報配信）
次に、図４を参照しながら、携帯端末に情報を配信する手順を説明する。
【００６２】
（ＳＢ−１）
情報端末３を見た使用者（例えば商品の需要者）は、自らが持つ携帯端末６を、情報端末３のリーダ・ライタ３２に接近又は接触させる。携帯端末６に備えられたＩＣカードとリーダ・ライタ３２との距離が十分に近付くと、ＩＣカードとリーダ・ライタ３２との間で通信が行われ、携帯端末６のＩＤ（いわゆるＩＤＭ）がリーダ・ライタ３２に渡される。
【００６３】
（ＳＢ−２）
携帯端末６のＩＤを取得したリーダ・ライタ３２は、このＩＤを端末本体３１に渡す。
【００６４】
（ＳＢ−３〜ＳＢ−６）
ＩＤを取得した端末本体３１は、携帯端末の機種を判別するための要求を、リーダ・ライタ３２経由で携帯端末６に送る。携帯端末６は、この要求に対して、リーダ・ライタ３２経由で、機種についての応答を端末本体３１に返す。
【００６５】
（ＳＢ−７〜ＳＢ−８）
ついで、端末本体３１は、番組表で特定されているＵＲＬ又はメールアドレスを、リーダ・ライタ３２経由で携帯端末６に送る。
【００６６】
例えば、図２のＮｏ７３で特定されたコンテンツが再生されている時間には、その行で特定されたＵＲＬ又はメールアドレスを携帯端末６に渡す。差し込みによってコンテンツが再生されている時間においては、そのコンテンツに対応するＵＲＬ又はメールアドレスを携帯端末６に渡す。
【００６７】
ＵＲＬ及びメールアドレスのどちらを携帯端末６に渡すかは、携帯端末６の機種によって決定される。すなわち、端末本体３１は、携帯端末６の機種に基づいて、携帯端末６に渡すべき情報を判別して渡す。
【００６８】
メールアドレスを携帯端末６に渡す場合は、端末本体３１は、対応するメールの件名及び本文を、メールアドレスと一緒に携帯端末６に渡す。ただし、この処理は、番組表において、そのような指示があった場合に行われる。
【００６９】
（ＳＢ−９〜ＳＢ−１０）
ＵＲＬ又はメールアドレスを受け取った携帯端末６は、受領確認を、リーダ・ライタ３２経由で端末本体３１に送る。
【００７０】
（ＳＢ−１１〜ＳＢ−１２）
受領確認を受け取った端末本体３１は、アプリケーションを起動する指令を、リーダ・ライタ３２経由で携帯端末６に送る。ここで起動されるアプリケーションは、携帯端末６にメールアドレスを送ったときはメーラであり、ＵＲＬを送ったときはブラウザである。ただし、受け取ったメールアドレス又はＵＲＬに基づいて携帯端末６が情報を受け取ることができるアプリケーションであれば、いわゆるメーラやブラウザ以外の適宜なアプリケーションを用いることもできる。
【００７１】
（ＳＢ−１３〜ＳＢ−１４）
アプリケーションが起動された携帯端末６は、起動を確認するメッセージを、リーダ・ライタ３２経由で端末本体３１に送る。
【００７２】
（ＳＢ−１５）
さらに、アプリケーションを起動した携帯端末６は、起動されたアプリケーションに応じて、ＵＲＬにアクセスするか、又は、メールアドレスにメールを送ることができる。
【００７３】
ＵＲＬにアクセスした場合、アクセス先のＷｅｂサーバ７は、情報端末３で提示されているコンテンツに関連した情報を、情報端末３とは別に、携帯端末６に対して配信することができる。
【００７４】
これにより、携帯端末６の使用者は、情報端末３で提示されているコンテンツに加えて、さらに付随的又は補足的な情報を受け取ることができる。また、Ｗｅｂサーバ７にアクセスした端末に配信する内容は、情報の提供者が適宜変更することができる。したがって、例えば、特定の時間帯にアクセスした端末に対しては、特別な割引券を提示することもできる。使用者は、割引券を店舗で提示することにより、割引を受けることができる。
【００７５】
一方、携帯端末６がメールをメールサーバ７に送った場合、メールサーバ７は、携帯端末６に返信メールを送る。これにより、携帯端末６の使用者は、付随的又は補足的な情報を受け取ることができる。あるいは、メールサーバ７は、返信メール中にＵＲＬを記載し、そこにアクセスさせることもできる。この手段においても、使用者は、付随的又は補足的な情報を受け取ることができる。メールを利用する場合も、端末７に配信する内容は、情報の提供者が適宜変更することができる。
【００７６】
（ＳＢ−１６）
アプリケーションが起動したことの確認メッセージを受け取った端末本体３１は、タッチ音を鳴らす。これにより、使用者は、ＩＣタッチ動作の終了を知ることができる。
【００７７】
（ＳＢ−１７及び図３のＳＢ−１８）
さらに端末本体３１は、携帯端末６からのタッチ動作と、コンテンツの再生結果に関するログを作成する。
【００７８】
タッチ動作としては、具体的には、タッチがあった日時と、タッチした端末のＩＤをログとして記録する。コンテンツの再生結果としては、再生時間と再生コンテンツの情報を記録する。
【００７９】
作成したログは、一定時間毎にまとめて、管理サーバ１に送る。一定時間毎にまとめてログを送信することで、帯域への負担を軽減することができる。ネットワーク不穏により、ログ送信が不調に終わった場合は、端末本体３１は、そのログを保存し、次の機会に再送信を試みる。既定時間以上（たとえば１ヶ月以上）前のログは自動的に削除される。
【００８０】
（図３のＳＢ−１９）
端末本体３１は、日付が変わる時点で、翌日分の番組表を確認する。このとき、端末本体３１は、さらに一日先の番組表を管理サーバ１に要求する。日付が変わる時点で翌日分の番組表を持っていない場合、翌日分番組表のダウンロードが終了するまで、番組表がない状態となり、０時０分の時点でのコンテンツの再生ができなくなる。これを避けるため、もう一日先の番組表が予めダウンロードされる。
【００８１】
この実施形態のシステムによれば、情報端末３は、管理サーバ１から番組表をネットワーク経由で受信することができる。情報端末３は、番組表における再生情報に従って、コンテンツを提示することができる。したがって、このシステムでは、提示されるコンテンツを、番組表に沿って、高い頻度で切り替えることが可能になる。
【００８２】
また、サーバ１に備えられた番組表の内容を変更することにより、コンテンツの再生順序や再生時間などを容易に変更することができる。
【００８３】
本実施形態において説明した処理における各ステップは、コンピュータで実行可能なコンピュータプログラムによって実装することができる。
【００８４】
なお、本発明に係るシステムは、前記実施形態に限定されるものではない。本発明は、特許請求の範囲に記載された範囲内において、具体的な構成に対して種々の変更を加えうるものである。
【００８５】
例えば、前記した実施形態では、管理サーバ１とコンテンツサーバ２とを分けて説明しているが、これらのサーバが一つのハードウエアを用いて実装されていても良い。
【００８６】
また、前記した各構成要素は、機能ブロックとして存在していればよく、独立したハードウエアとして存在しなくても良い。また、実装方法としては、ハードウエアを用いてもコンピュータソフトウエアを用いても良い。さらに、本発明における一つの機能要素が複数の機能要素の集合によって実現されても良く、本発明における複数の機能要素が一つの機能要素により実現されても良い。
【００８７】
また、機能要素は、物理的に離間した位置に配置されていてもよい。この場合、機能要素どうしがネットワークにより接続されていても良い。グリッドコンピューティングにより機能を実現し、あるいは機能要素を構成することも可能である。
【図面の簡単な説明】
【００８８】
【図１】本発明の一実施形態に係る情報配信システムの概略的な構成を示すブロック図である。
【図２】図１に示すシステムで用いる番組表データの一例を示す説明図である。
【図３】図１のシステムを用いた情報配信方法の手順を説明するためのシーケンス図である。
【図４】図１のシステムを用いた情報配信方法の手順を説明するためのシーケンス図である。
【符号の説明】
【００８９】
１  管理サーバ
２  コンテンツサーバ
３  情報端末
３１  端末本体
３２  リーダ・ライタ
４  操作端末
５  ネットワーク
６  携帯端末
７  Ｗｅｂサーバ又はメールサーバ
【図１】
2010055151.tif 000003
【図２】
2010055151.tif 000004
【図３】
2010055151.tif 000005
【図４】
2010055151.tif 000006